(57)【要約】【課題】テレビ映像は、リアルタイムに切り替わるので、入力操作に手間取っていると、ユーザが電話をかけようとする電話番号の画面は他の画面へと切り替わる。【解決手段】放送受信機能および通信機能を有する通信装置において、放送を受信して視聴している際に、該放送映像を静止させる操作が行われると、該操作が行われたタイミングの放送映像を静止させて表示するとともに、当該状態においてキー入力がなされると、該入力に応じた情報を表示し、発信操作が行われると、前記入力された情報に基づいて発信動作を行うことを特徴とする。【選択図】図９
2007096516.tif 000002
【特許請求の範囲】
【請求項１】
放送受信機能および通信機能を有する通信装置において、
放送を受信して視聴している際に、該放送映像を静止させる操作が行われると、該操作が行われたタイミングの放送映像を静止させて表示するとともに、当該状態においてキー入力がなされると、該入力に応じた情報を表示し、発信操作が行われると、前記入力された情報に基づいて発信動作を行うことを特徴とする通信装置。
【請求項２】
放送受信機能および通信機能を有する通信装置において、
放送を受信して視聴している際に、発信操作が行われると、該発信操作が行われたタイミングの放送映像を静止させて表示するとともに、発信先の情報を入力する入力エリアを表示することを特徴とする通信装置。
【請求項３】
放送を受信して復調する復調手段と、
該復調手段により復調され表示部に表示される内容を記録するフレームメモリと、
放送を受信して視聴している際に、発信操作が行われると、前記復調手段により復調された映像信号を前記フレームメモリに記録することを停止させる制御手段と、
を備えた通信装置。
【請求項４】
前記制御手段は、前記復調手段により復調された映像信号を前記フレームメモリに記録することを停止させるとともに、発信先の情報を入力する入力エリアを表示させることを特徴とする請求項３記載の通信装置。
【請求項５】
前記制御手段は、更に発信操作が行われると、前記入力エリアに入力された情報に基づいて発信動作を行うことを特徴とする請求項３記載の通信装置。
【発明の詳細な説明】
【技術分野】
【０００１】
本発明は、携帯電話装置などの通信処理機能およびデジタル放送を受信可能なデジタル放送受信機能を備えた通信装置に関する。
【背景技術】
【０００２】
近年、テレビジョン放送を受信可能な機能を有する携帯電話装置が知られている。（例えば、特許文献１を参照）。
図１にテレビジョン（ＴＶ）放送内容を視聴機能付き通信装置の構成例を示す。
ＴＶ視聴機能付き通信装置１００は、一般的な通信装置、たとえば、携帯電話装置に、ＴＶ放送受信部１１０およびＴＶ受信アンテナ１１１が付加された構成をしている。
図１に示したその他の部分は、携帯電話装置として動作する部分である。
【０００３】
放送局から送信されたテレビジョン電波をＴＶ受信アンテナ１１１で受信し、ＴＶ無線部１１２で同調、周波数変換処理等を行い、復調部１１３でデータストリームを取り出した後、復号部１１４でデータストリームから音声信号・映像信号等のメディアを分離し、メディア毎のデコード（復号）処理を行い、デコード結果の映像（画像）は表示部１６０で表示され、音声はスピーカ１７０から出力される。
表示部１６０は通信装置、たとえば、携帯電話装置として使用するときにも用いられ、上記ＴＶ受信処理と共用される。また、スピーカ１７０も通信装置の着信音を発生する場合等にも使用される。
【０００４】
一方、携帯電話装置などの通信装置としての機能を実現するための通信装置１００の構成は、無線通信部１２０と、送受信アンテナ１２１と、送話器１２１１と、受話器１２１２から成る。
送話器１２１１でユーザの話した音波を電気信号に変換した音声信号はＡ／Ｄ変換部１２９でデジタル符号列に変換され、符号化部１２７で圧縮符号化された後、変調部１２５に送られる。圧縮符号化された信号は変調部１２５で電波伝送に適した形に変調がかけられ、送信無線部１２３で周波数変換、増幅等が行われた後、分配・混合部１２２を経て送受信アンテナ１２１へ送られ、送受信アンテナ１２１から図示しない無線通信基地局に送信される。
無線通信基地局から送信された通話相手の話した電波はアンテナ１２１で受信され、分配・混合部１２２を経て受信無線部１２４で同調・変換等された後に、復調部１２６で符号列が取り出される。この符号列を復号部１２８で音声符号に復号したのち、Ｄ／Ａ変換部１２１０で音声電気信号に変換し、受話器１２１２から音声として出力する。
【０００５】
通信装置１００には制御を行う、たとえば、マイクロコンピュータを中心として構成される制御部１５０が設けられており、制御部１５０が上述した各種動作に関連する種々の制御を行う。
この制御は、例えば、通信装置１００のユーザとの情報交換、通信装置１００全体の制御の他、無線通信網、たとえば、電話回線との無線通信プロトコルの処理等がある。
【０００６】
また、通信装置１００には電池１３０と、電池１３０によって給電される通信装置１００内の上述した各部の電源の制御を行うための電源制御部１４０が設けられており、制御部１５０の指示に従って電源の制御が行われる。
【０００７】
通信装置１００が上述した音声通信ではなく、無線通信網を利用したデータ通信を行う場合、または、無線通信網との無線通信プロトコルのやりとりを行う場合は、変調部１２５と、復調部１２６と、制御部１５０が符号を送受信することで実現される。
【０００８】
また、ＴＶモードを遂行する状態で通信モードが発生されると、表示部の第１表示領域にテレビ映像信号を表示するように制御し、第２表示領域に使用者データを表示するように制御する携帯端末機が開示されている（例えば、特許文献２を参照）。
【特許文献１】特開２００２−９９２０号公報
【特許文献２】特開２００４−１１２８０７号公報
【発明の開示】
【発明が解決しようとする課題】
【０００９】
ところで、一般的に上述した通信装置１００では、ユーザが電話をかける場合、表示部１６０に待ち受け画面が表示されている状態で、例えば、図３に示すキー部１８０に設置された数字キー１８２または発信キー１８１の押下操作により、図２に示すような電話番号入力画面に遷移する。
【００１０】
図２に示した電話番号入力画面は、主にユーザが入力した電話番号、図示の例では、「０９０００００ｘｘｘｘ」を確認させるために表示される。
表示器１６０の電話番号入力画面は原則として、ユーザが入力した電話番号と操作ガイドのみが表示される。
【００１１】
また、通信装置１００がＴＶ視聴やその他ゲーム等のアプリケーションを実行しているときにユーザが電話をかける場合、一度待ち受け画面に戻り、ユーザによる数字キーの押下により上述した電話番号入力画面に遷移しなければならない。
【００１２】
従来のＴＶ視聴機能付き携帯電話機能を有する通信装置１００では、ＴＶ視聴画面と発信のための電話番号入力画面を同時に表示することが出来ないため、ユーザが電話をかけるために電話番号を入力するには、表示器１６０に表示されているＴＶ視聴画面（ＴＶアプリケーション）を終了する必要がある。
しかし、ＴＶ画面（ＴＶ番組の中で）に電話番号が表示され、表示されているその番号に対してユーザが電話をかけようとする（発信をしようとする）場合、かけようとする電話番号を入力操作したときには、ＴＶ視聴画面（ＴＶアプリケーション）が終了して電話番号入力画面に遷移してしまうので、表示器１６０からＴＶ画面が消えてしまい、その番組に表示されていた電話番号も同時に表示器１６０の表示から消えるので、電話番号は、一時的にメモリに記憶するか、ユーザがメモ用紙等に手で書き留める必要があり、手間がかかる上に、間違い電話の原因となってしまう。
【００１３】
さらに、ユーザがその番組の中の電話番号を記憶して電話をかけた結果、間違ってしまった場合には、再び発信しようとしても、その正確な電話番号を知るすべがないという問題がある。
【００１４】
また、特許文献２の技術を用いたとしても、テレビ映像は、リアルタイムに切り替わるので、入力操作に手間取っていると、結局、ユーザが電話をかけようとする電話番号の画面は他の画面へと切り替わってしまう。仮に、入力できたとしても間違ってしまった場合には、再び発信しようとしても、その正確な電話番号を知るすべがない。
【課題を解決するための手段】
【００１５】
本発明は上述した問題を克服する。
本発明は、放送受信機能および通信機能を有する通信装置において、放送を受信して視聴している際に、該放送映像を静止させる操作が行われると、該操作が行われたタイミングの放送映像を静止させて表示するとともに、当該状態においてキー入力がなされると、該入力に応じた情報を表示し、発信操作が行われると、前記入力された情報に基づいて発信動作を行うことを特徴とする。
【００１６】
また、本発明は、放送受信機能および通信機能を有する通信装置において、放送を受信して視聴している際に、発信操作が行われると、該発信操作が行われたタイミングの放送映像を静止させて表示するとともに、発信先の情報を入力する入力エリアを表示することを特徴とする。
【００１７】
さらに、本発明の通信装置は、放送を受信して復調する復調手段と、該復調手段により復調され表示部に表示される内容を記録するフレームメモリと、放送を受信して視聴している際に、発信操作が行われると、前記復調手段により復調された映像信号を前記フレームメモリに記録することを停止させる制御手段と、を備える。
【発明の効果】
【００１８】
ユーザが通信装置に表示されている放送番組中の電話番号、URL、メールアドレスなどに、電話をかけるため、アクセスするために入力操作するときは、そのとき表示されている放送映像画面を静止させ（フリーズさせ）、その静止画面を表示したままの入力画面をユーザに提示することで、ユーザは画面に表示された電話番号、URL、メールアドレスなどを見ながら入力可能となり、記憶やメモの手間が省け、間違いを減らすことができる。
【発明を実施するための最良の形態】
【００１９】
図３は本発明の一実施の形態である放送受信機能付き通信装置３００の外観を示す。ここで、通信装置３００は一例として携帯電話機を用いて説明する。
図４は図３に示した放送受信機能付き通信装置３００の内部構成図である。
図４に示した放送受信機能付き通信装置３００の外観と、図１に示した通信装置１００の外観と同じ場合を例示する。しかし、放送受信機能付き通信装置３００の処理内容は通信装置１００とは異なる。
【００２０】
図４に示した本発明の１実施の形態の放送受信機能付き通信装置３００において、図１に示した通信装置１００と同じ部分は同じ符号を付している。
放送受信機能付き通信装置３００は、携帯電話装置などの一般的な通信装置に、デジタル放送受信部３１０およびデジタル放送受信アンテナ３１１が付加された構成をしている。
無線通信部１２０、送受信アンテナ１２１、音響発生部１５５、表示器１６０、スピーカ１７０、キー部１８０、バイブレータ１９０、送話器１２１１および受話器１２１２は、一般的なものと同じである。また、電池１３０および電源制御部１４０も一般的なものと同じである。
放送受信機能付き通信装置３００の制御部３５０は上述した制御部１５０とは処理内容が異なる。
また、放送受信機能付き通信装置３００にはフレームメモリ３６５が付加されている。
放送受信機能付き通信装置３００は、放送受信部３１０、放送受信アンテナ３１１を用いて放送の受信を可能としている。
【００２１】
放送受信部３１０は、放送無線部３１２、復調部３１３、復号部３１４を有する。
放送局から送信された例えばデジタル放送の電波を放送受信アンテナ３１１で受信し、放送無線部３１２で同調、周波数変換等を行い、復調部３１３でデータストリームを取り出した後、復号部３１４でデータストリームから、音声信号・映像（画像）信号等のメディアを分離し、メディア毎のデコードを行い、デコード結果の画像はフレームメモリ３６５に書き込まれ、表示器１６０で表示される。音声信号はスピーカ１７０から出力される。
【００２２】
フレームメモリ３６５および表示器１６０は、携帯電話機能などの通信装置として使用するときにも用いられ、放送受信機能付き通信装置３００において、放送受信機能と、携帯電話機能などの各機能において共用される。
制御部３５０がユーザに情報を提供するため表示を行うときは表示情報をフレームメモリ５６５に書き込むことによって、表示器１６０の表示内容が変化する。また、スピーカ１７０は、たとえば、携帯電話装置などの通信装置の着信音を発生する場合等にも使用される。
【００２３】
図５はフレームメモリ３６５の構成例を示す図である。
フレームメモリ３６５は、表示器１６０に表示する映像信号を１フレーム分、保持する記憶装置であり、復号部３１４や制御部３５０から要求される表示器１６０への表示内容の読み出し及び表示器１６０に表示された表示内容の書き込みができる。つまり、復調され表示部に表示される内容を記録する。さらに、フレームメモリ３６５に記録されている内容を表示器１６０に送り、表示器１６０はその内容にしたがった表示を行う。
フレームメモリ３６５は、表示器１６０上の１画素に対する１つの色情報の集合で、フレームメモリ３６５上のあるアドレスと表示器１６０上の１画素が対応している。
そして、後述するように、制御部は、放送を受信して視聴している際に、発信操作が行われると、復調された映像信号をフレームメモリに記録することを停止させる処理をする。
【００２４】
一方、たとえば、携帯電話機能などの通信装置として実現するための放送受信機能付き通信装置３００の構成は、図１を参照して述べたと同様、無線通信部１２０と、送受信アンテナ１２１、送話器１２１１、受話器１２１２、制御部３５０、キー部１８０からなり、必要に応じて、バイブレータ１９０を含めることができる。
送話器１２１１でユーザの音波から電気信号に変換された音声信号は、Ａ／Ｄ変換部１２９でデジタル符号列に変換され、符号化部１２７で圧縮符号化された後、圧縮符号化された信号が変調部１２５に送られる。変調部１２５では電波伝送に適した形に変調がかけられ、送信無線部１２３で周波数変換、増幅等が行われた後、分配・混合部１２２を経てアンテナ１２１へ送られ、図示しない無線通信基地局に送信される。
無線通信基地局から送信された電波はアンテナ１２１で受信され、分配混合部１２２を経て受信無線部１２４で同調・変換等された後に、復調部１２６で符号列が取り出される。この符号列を復号部１２８で音声符号に復号したのち、Ｄ／Ａ変換部１２１０で音声電気信号に変換し、受話器１２１２から音声を送出する。
【００２５】
放送受信機能付き通信装置３００には制御を行うマイクロコンピュータを中心とした制御部３５０が設けられており、制御部３５０は上述および後述する処理に関連する各種制御を行う。制御部３５０による制御は、図３に示したキー部１８０を介した放送受信機能付き通信装置３００のユーザとのやりとり、携帯電話装置などの通信装置制御の他、無線通信網との無線通信プロトコルの処理等がある。
【００２６】
また、放送受信機能付き通信装置３００の電源としての電池１３０と、電池１３０によって給電される放送受信機能付き通信装置３００内の各部の電源の制御を行うための電源制御部１４０が放送受信機能付き通信装置３００に設けられており、制御部３５０に指示に従って電源制御部１４０によって電源の制御が行われる。
【００２７】
放送受信機能付き通信装置３００が上述した音声通信ではなく、無線通信網を利用したデータ通信を行う場合、または、無線通信網との無線通信プロトコルによるやり取りを行う場合は、変調部１２５と、復調部１２６と、制御部３５０とが符号を送受信することで実現される。
【００２８】
図６に制御部３５０の構成例を示す。
制御部３５０は、ＲＯＭ３５２に格納されたプログラムに従って各種処理を行うＣＰＵ３５１と、ＣＰＵ３５１が行う処理上のデータを保持するＲＡＭ３５２と、外部への制御信号線３５４を用いて信号を入出力する入出力（Ｉ／Ｏ）部３５５と、現在時刻を保持する実時間カウンタ（ＲＴＣ）３５６から構成される。
バス３５７は、ＣＰＵ３５１、ＲＯＭ３５２、ＲＡＭ３５３、Ｉ／Ｏ部３５５を相互に接続している。
ＲＴＣ３５６は、ＣＰＵ３５１に直接接続され、ＣＰＵ３５１からの時刻読み出しおよび設定、また指定時刻になった場合の通知等を行う。
【００２９】
図７に本実施の形態の放送受信機能付き通信装置３００の表示器１６０を介してデジタル放送内容を視聴しているときの画面表示の例を示す。
表示器１６０に表示される表示画面は、電池残量、電波強度、時刻等を常に表示するピクトエリア１１０１と、デジタル放送を視聴中のチャンネル情報を表示する情報表示エリア１１０２と、放送される映像（画像）を表示する画像表示エリア１１０３と、ソフトキー１１０４乃至ソフトキー１１０６を表示するソフトキーエリアで構成される。
ピクトエリア１１０１、情報表示エリア１１０２およびソフトキー１１０４乃至１１０６は、制御部３５０が文字を展開した画像をフレームメモリ３６５に転送することで表示される。
また、画像表示エリア１１０３は、復号部３１４が復号したデジタル放送の画像をフレームメモリ３６５に転送することで、表示器１６０に表示されている。
【００３０】
次に視聴時の画面停止機能について説明する。
図８に画面停止機能を使用したときの画面遷移の例を示す。
画面７０１はデジタル放送を視聴している状態を示す。放送を受信して視聴している際に、発信操作が行われると、つまり、デジタル放送の視聴中画面でキー部１８０の発信キーを押下すると、発信操作が行われたタイミングの放送映像を静止させて表示するとともに、つまり、そのとき表示器１６０に表示されていた画面が静止し、発信先の情報を入力する入力エリアを表示する。この実施例では、電話番号入力画面（画面７０２）の表示状態に遷移する。
電話番号入力画面では、数値キーの入力で逐次、番号が入力され番号入力エリア７０Ａに表示される（画面７０３）。
このように、静止画像の表示と、入力した電話番号の表示を同時に行うことで、ユーザによる電話番号の入力の誤りを防ぐことができる。
また、静止画像を表示する一方で、音声については放送にあわせて（同期して）出力することが好ましい。これにより、放送の映像を静止させた後、他の連絡先やアドレスが番組において紹介されてもユーザが気付くことができる。
【００３１】
電話番号入力画面（画面７０２）では、ソフトキー１１０４，１１０５，１１０６が、それぞれ「登録」「発信」「メニュー」に変化する。キー１８１（ソフトキー１１０４、つまり登録）を押下すると、アドレス帳登録画面（画面７０４）の表示状態に遷移し、入力した電話番号をアドレス帳に登録することができる。更に、電話番号入力画面（画面７０２）でキー１８３（図３、ソフトキー１１０５、この場合は発信）または発信キーを押下すると発信画面（画面７０５）に遷移するとともに、制御部３５０および無線通信部１２０により発信プロトコル処理が行われ、電話の発信（発呼）が行われる。なお、電話番号入力画面（画面７０３）においても、更に、キー１８３（図３、ソフトキー１１０５、この場合は発信）または発信キーを押下すると発信画面（画面７０５）に遷移するとともに、制御部３５０および無線通信部１２０により発信プロトコル処理が行われ、電話の発信（発呼）が行われる。
【００３２】
通話相手が電話に出ると、画面は通話中画面（画面７０６）の状態に遷移して、通話が可能となる。
通話中も表示器１６０に画面を表示しておくことにより、通話中に画面に表示している内容を表示器１６０で確認することができる。この例では、電話番号のほかに、商品の金額、商品番号、商品名、画像を確認することが出来る。
【００３３】
通話が終了すると、終話画面７０７の状態に遷移し、この通話にかかった通話時間などが表示される。
終話画面は、所定時間後に、たとえば、１０秒後に自動的に視聴中画面（画面７０１）に復帰する。この処理は制御部３５０が行う。なお、終了キーの押下により視聴中画面（画面７０１）に復帰しても良い。
【００３４】
次に上述した処理内容を実現する方法について図９のフローチャートを参照して説明する。
【００３５】
ステップ１，２：ユーザがデジタル放送を視聴中にキー部１８０の発信キーを押したことを制御部３５０が検出すると、制御部３５０は復号部３１４に対してフレームメモリ３６５への画像の書き込みを禁止する指示を出す。これにより、表示器１６０上の画像表示エリア１１０３はそのときに表示していたデジタル放送画像の静止画像が表示された状態で変化しなくなる。
【００３６】
ステップ３：続いて、制御部３５０は電話番号入力等の画面７０１乃至７０７の画面遷移の処理を行うが、この間、フレームメモリ３６５内の画像表示エリア１１０３に対応する領域への書き込みは行わない。このため、画面７０１乃至７０７の画面遷移中、ユーザが発信キーを押下した際に表示器１６０に表示されていた静止画面が表示されたままの静止状態になる（フリーズ状態になる）。
また、静止画像を表示する一方で、音声については放送にあわせて（同期して）出力することが好ましい。これにより、放送の映像を静止させた後、他の連絡先やアドレスが番組において紹介されてもユーザが気付くことができる。
【００３７】
上述したように、本発明の実施の形態の放送受信機能付き通信装置３００によれば、ユーザが通信装置に表示されている放送番組中の電話番号、URL、メールアドレスなどに、電話をかけるため、アクセスするために発信操作（送信操作やアクセス操作なども含む）や入力操作するときは、そのとき表示されている放送映像画面を静止させ（フリーズさせ）、その静止画面を表示したままの入力画面をユーザに提示することで、ユーザは画面に表示された電話番号、URL、メールアドレスなどを見ながら入力可能となり、記憶やメモの手間が省け、間違いを減らすことができる。
【００３８】
上述した実施の形態では、フレームメモリ３６５内の画像表示部に対応する領域での書き込みを行わないで静止画像を表示する例を示したが、一度、フレームメモリ３６５内の画像表示部に対応する領域の情報を制御部３５０内のＲＡＭ３５３に一時的に格納し（コピーし）、必要に応じて、ＣＰＵ３５１の処理によって画像の縮小や画像強調など適当な画像処理を施した後、フレームメモリ３６５に転送して電話番号入力画面等に表示してもよい。
その結果、フレームメモリ３６５から読み出した内容を表示器１６０に表示すると、画像の縮小や画像強調など適当な画像処理された内容が表示される。
【００３９】
また、上述した実施の形態では、電話番号入力画面について記述したが、これは、電子メールアドレス入力、ＷＥＢページのアドレス入力、メモ帳の入力等についても、同様に静止画像を表示したまま行えるようにしてもよい。
したがって、本発明の通信装置は、携帯電話装置への適用に限定されるわけではない。
【００４０】
また、発信操作が直感的に使いやすいため、発信操作を例示して説明しているが、放送を受信して視聴している際に、該放送映像を静止させる操作が行われると、該操作が行われたタイミングの放送映像を静止させて表示するとともに、当該状態においてキー入力がなされると、該入力に応じた情報を表示し、発信操作が行われると、前記入力された情報に基づいて発信動作を行う動作も含まれるものである。
【００４１】
また、その他の応用例として次のようなものがあげられる。
入力して発信した履歴、送信した履歴、アクセスした履歴は、電話帳などの通信装置に記憶してある情報に登録されていないケースが多いため、改めて発信した履歴、送信した履歴、アクセスした履歴を確認した際、その日付や時間や入力した情報くらいしか表示されない。
そこで、電話の発信、メールの送信、ＷＥＢページのアクセスなどにおいて、上述した静止画像を利用した場合、この履歴に当該静止画像を対応させてメモリ（記憶手段）に記憶するように制御することが好ましい。これにより、履歴を確認するために表示した際、あわせて静止画像も表示されるので（必要に応じて表示させるようにしても良い）、そのときの状況を把握しやすくなり、装置の使い勝手が向上する。
【図面の簡単な説明】
【００４２】
【図１】図１は従来技術の通信装置の構成図である。
【図２】図２は通信装置の表示器に表示される電話番号入力画面の１例を示す図である。
【図３】図３は本発明の１実施の形態の通信装置の外観図である。
【図４】図４は本発明の通信装置の１実施の形態としての放送受信機能付き通信装置の構成図である。
【図５】図５は図４に示した放送受信機能付き通信装置内のフレームメモリの構成の１例を示す図である。
【図６】図６は図４に示した放送受信機能付き通信装置内の制御部の構成の１例を示す図である。
【図７】図７は図３および図４に示す表示器における表示領域の１例を示す図である。
【図８】図８は本発明の１実施の形態による放送受信機能付き通信装置によって実施される表示内容の遷移を示す図である。
【図９】図９は本発明の１実施の形態の放送受信機能付き通信装置の動作を示すフローチャートである。
【符号の説明】
【００４３】
３００…放送受信機能付き通信装置
１２０…無線通信部
１２２…分配・混合部
１２４…受信無線部
１２６…復調部
１２８…復号部
１２１０…Ｄ／Ａ変換部
１２３…送信無線部
１２５…変調部
１２７…符号化部
１２９…Ａ／Ｄ変換部
１２１…送受信アンテナ
１２１１…送話器
１２１２…受話器
１６０…表示器
１７０…スピーカ
１８０…キー部
３１０…放送受信部
３１２…放送無線部
３１３…復調部
３１４…復号部
３５０…制御部
３６５…フレームメモリ
【図１】
2007096516.tif 000003
【図２】
2007096516.tif 000004
【図３】
2007096516.tif 000005
【図４】
2007096516.tif 000006
【図５】
2007096516.tif 000007
【図６】
2007096516.tif 000008
【図７】
2007096516.tif 000009
【図８】
2007096516.tif 000010
【図９】
2007096516.tif 000011